(57)【要約】【課題】ユーザが所望の情報に迅速・的確にアクセスすることができ、各ユーザにとって使い勝手のよい情報を提供することができる情報処理装置を提供する。【解決手段】ユーザ識別子を受信する受信部１１と、２以上のコンテンツを記憶しているコンテンツ記憶部１８と、コンテンツの一覧を表示する画面におけるコンテンツに関する並びについての設定の情報である画面設定情報を、ユーザ識別子に対応付けて記憶している画面設定情報記憶部１３と、受信部１１が受信したユーザ識別子に対応する画面設定情報を画面設定情報記憶部１３から取得する情報取得部１７と、画面設定情報に基づいて、コンテンツの一覧の画面を構成するための情報である画面構成情報を作成する画面構成情報作成部１９と、画面構成情報作成部１９が作成した画面構成情報を送信する送信部２０とを備える。【選択図】図１
2005284514.tif 000002
【特許請求の範囲】
【請求項１】
ユーザを識別するユーザ識別子を受信する受信部と、
２以上のコンテンツを記憶しているコンテンツ記憶部と、
前記コンテンツ記憶部が記憶しているコンテンツの一覧を表示する画面におけるコンテンツに関する並びについての設定の情報である画面設定情報を、前記ユーザ識別子に対応付けて記憶している画面設定情報記憶部と、
前記受信部が受信したユーザ識別子に対応する前記画面設定情報を前記画面設定情報記憶部から取得する情報取得部と、
前記情報取得部が取得した画面設定情報、及び前記コンテンツ記憶部が記憶しているコンテンツに基づいて、コンテンツの一覧の画面を構成するための情報である画面構成情報を作成する画面構成情報作成部と、
前記画面構成情報作成部が作成した画面構成情報を送信する送信部と、を備えた情報処理装置。
【請求項２】
前記画面設定情報におけるコンテンツに関する並びについての設定は、コンテンツに関する時期に基づいた並びについての設定を含む、請求項１記載の情報処理装置。
【請求項３】
前記画面構成情報におけるコンテンツに関する並びについての設定は、特定のキーワードを含むコンテンツに関する並びについての設定を含む、請求項１または２記載の情報処理装置。
【請求項４】
前記画面構成情報に基づいて構成された画面において利用されたコンテンツの利用状況に関する情報である利用情報を、前記ユーザ識別子に対応付けて記憶している利用情報記憶部と、
ユーザによるコンテンツの利用に応じて、前記利用情報を更新する利用情報更新部と、をさらに備え、
前記画面設定情報におけるコンテンツに関する並びについての設定は、前記利用情報に基づいた並びについての設定をも含んでおり、
前記情報取得部は、前記受信部が受信したユーザ識別子に対応する前記画面設定情報を前記画面設定情報記憶部から取得し、前記受信部が受信したユーザ識別子に対応する前記利用情報を前記利用情報記憶部から取得し、
前記画面構成情報作成部は、前記情報取得部が取得した画面設定情報及び利用情報に基づいて、前記画面構成情報を作成する、請求項１から３のいずれか記載の情報処理装置。
【請求項５】
前記画面構成情報は、前記コンテンツ記憶部が記憶しているコンテンツのうち、前記コンテンツの一覧を表示する画面において、他のコンテンツと一緒に表示しないコンテンツに対する前記利用情報に関する条件を示す情報である非表示情報を含む、請求項４記載の情報処理装置。
【請求項６】
前記画面構成情報は、前記コンテンツ記憶部が記憶しているコンテンツのうち、前記コンテンツの一覧を表示する画面において、他のコンテンツと一緒に表示しないコンテンツに対する前記コンテンツに関する時期についての条件を示す情報である非表示情報を含む、請求項１から４のいずれか記載の情報処理装置。
【請求項７】
前記画面構成情報は、前記コンテンツ記憶部が記憶しているコンテンツのうち、前記コンテンツの一覧を表示する画面において、一度に表示できないコンテンツの量に関する条件を示す情報である非表示情報を含む、請求項１から４のいずれか記載の情報処理装置。
【請求項８】
前記画面構成情報作成部は、前記非表示情報に基づいて所定の期間後に他のコンテンツと
一緒に表示されなくなるコンテンツについて、当該コンテンツが表示されなくなる旨を表示するための画面構成情報を作成する、請求項５から７のいずれか記載の情報処理装置。
【請求項９】
前記コンテンツの一覧を表示する画面において表示されるコンテンツの一覧は、前記コンテンツ記憶部が記憶しているコンテンツの見出しの一覧である、請求項１から８のいずれか記載の情報処理装置。
【請求項１０】
前記画面設定情報は、複数の表示領域と、前記各表示領域に表示するコンテンツの一覧との対応を示す情報である領域情報を含んでおり、
前記画面構成情報作成部は、前記領域情報に基づいて、前記表示領域ごとにコンテンツの一覧を表示する画面を構成するための情報である画面構成情報を作成する、請求項１から９のいずれか記載の情報処理装置。
【請求項１１】
前記画面設定情報は、コンテンツの一覧を表示する前記表示領域ごとに、当該表示領域におけるコンテンツの一覧を表示するかどうかに関する条件を示す情報である表示・非表示情報を含むものであり、
前記画面構成情報作成部は、前記各表示領域について、前記表示・非表示情報に基づいて、コンテンツの一覧を表示する条件を充たしていると判断した場合には、当該表示領域におけるコンテンツの一覧を表示する画面構成情報を作成し、コンテンツの一覧を表示する条件を充たしていないと判断した場合には、当該表示領域におけるコンテンツの一覧を表示しない画面構成情報を作成する、請求項１０記載の情報処理装置。
【請求項１２】
ユーザを識別するユーザ識別子を受信する受信部と、
２以上のコンテンツを記憶しているコンテンツ記憶部と、
前記コンテンツ記憶部が記憶しているコンテンツの一覧を表示する画面における、複数の表示領域と、前記各表示領域に表示するコンテンツの一覧との対応を示す情報である領域情報、及び、前記表示領域ごとに、当該表示領域におけるコンテンツの一覧を表示するかどうかに関する条件を示す情報である表示・非表示情報を含む情報である画面設定情報を、前記ユーザ識別子に対応付けて記憶している画面設定情報記憶部と、
前記受信部が受信したユーザ識別子に対応する前記画面設定情報を前記画面設定情報記憶部から取得する情報取得部と、
前記情報取得部が取得した画面設定情報、及び前記コンテンツ記憶部が記憶しているコンテンツに基づいて、前記表示領域ごとにコンテンツの一覧を表示する画面を構成するための情報である画面構成情報を作成する画面構成情報作成部と、
前記画面構成情報作成部が作成した画面構成情報を送信する送信部と、を備えた情報処理装置。
【請求項１３】
前記表示・非表示情報は、前記各表示領域について、期間ごとの表示、あるいは非表示を示す情報である、請求項１１または１２記載の情報処理装置。
【請求項１４】
前記表示・非表示情報は、前記各表示領域について、前記画面構成情報の送信先の種類ごとの表示、あるいは非表示を示す情報である、請求項１１から１３のいずれか記載の情報処理装置。
【請求項１５】
前記画面設定情報は、各表示領域を表示する位置に関する情報をも含んでおり、
前記画面構成情報作成部は、前記位置に関する情報の示す位置に各表示領域におけるコンテンツの一覧を表示するための画面構成情報を作成する、請求項１０から１４のいずれか記載の情報処理装置。
【請求項１６】
前記受信部は、前記画面設定情報の更新を指示する情報である更新指示情報をも受信する
ものであり、
前記更新指示情報に基づいて、前記画面設定情報記憶部が記憶している画面設定情報を更新する設定更新部をさらに備えた、請求項１から１５のいずれか記載の情報処理装置。
【請求項１７】
請求項１から１６のいずれか記載の情報処理装置と、
前記情報処理装置が送信した画面構成情報を受信し、当該画面構成情報に基づいてコンテンツの一覧の画面を表示する１以上の端末装置と、を備えた情報処理システム。
【請求項１８】
ユーザを識別するユーザ識別子を受信する受信ステップと、
２以上のコンテンツの一覧を表示する画面におけるコンテンツに関する並びについての設定の情報である画面設定情報を、前記ユーザ識別子に対応付けて記憶している画面設定情報記憶部から、前記受信ステップで受信したユーザ識別子に対応する前記画面設定情報を取得する情報取得ステップと、
前記情報取得ステップで取得した画面設定情報、及び前記コンテンツに基づいて、コンテンツの一覧の画面を構成するための情報である画面構成情報を作成する画面構成情報作成ステップと、
前記画面構成情報作成ステップで作成した画面構成情報を送信する送信ステップと、を備えた情報処理方法。
【請求項１９】
ユーザを識別するユーザ識別子を受信する受信ステップと、
２以上のコンテンツの一覧を表示する画面における、複数の表示領域と、前記各表示領域に表示するコンテンツの一覧との対応を示す情報である領域情報、及び、前記表示領域ごとに、当該表示領域におけるコンテンツの一覧を表示するかどうかに関する条件を示す情報である表示・非表示情報を含む情報である画面設定情報を、前記ユーザ識別子に対応付けて記憶している画面設定情報記憶部から、前記受信ステップで受信したユーザ識別子に対応する前記画面設定情報を取得する情報取得ステップと、
前記情報取得ステップで取得した画面設定情報、及び前記コンテンツに基づいて、前記表示領域ごとにコンテンツの一覧を表示する画面を構成するための情報である画面構成情報を作成する画面構成情報作成ステップと、
前記画面構成情報作成ステップで作成した画面構成情報を送信する送信ステップと、を備えた情報処理方法。
【請求項２０】
コンピュータに、
ユーザを識別するユーザ識別子を受信する受信ステップと、
２以上のコンテンツの一覧を表示する画面におけるコンテンツに関する並びについての設定の情報である画面設定情報を、前記ユーザ識別子に対応付けて記憶している画面設定情報記憶部から、前記受信ステップで受信したユーザ識別子に対応する前記画面設定情報を取得する情報取得ステップと、
前記情報取得ステップで取得した画面設定情報、及び前記コンテンツに基づいて、コンテンツの一覧の画面を構成するための情報である画面構成情報を作成する画面構成情報作成ステップと、
前記画面構成情報作成ステップで作成した画面構成情報を送信する送信ステップと、を実行させるためのプログラム。
【請求項２１】
コンピュータに、
ユーザを識別するユーザ識別子を受信する受信ステップと、
２以上のコンテンツの一覧を表示する画面における、複数の表示領域と、前記各表示領域に表示するコンテンツの一覧との対応を示す情報である領域情報、及び、前記表示領域ごとに、当該表示領域におけるコンテンツの一覧を表示するかどうかに関する条件を示す情報である表示・非表示情報を含む情報である画面設定情報を、前記ユーザ識別子に対応付
けて記憶している画面設定情報記憶部から、前記受信ステップで受信したユーザ識別子に対応する前記画面設定情報を取得する情報取得ステップと、
前記情報取得ステップで取得した画面設定情報、及び前記コンテンツに基づいて、前記表示領域ごとにコンテンツの一覧を表示する画面を構成するための情報である画面構成情報を作成する画面構成情報作成ステップと、
前記画面構成情報作成ステップで作成した画面構成情報を送信する送信ステップと、を実行させるためのプログラム。
【発明の詳細な説明】
【技術分野】
【０００１】
本発明は、通信回線等を介して情報の提供を行う情報処理装置等に関する。
【背景技術】
【０００２】
近年、インターネット等の通信回線を介した情報の提供が行われている。そのような情報の提供において、情報の提供を受けるユーザにとって、使い勝手がよいように情報を提供する技術が開発されてきている。例えば、ユーザが子供であれば漢字表記の少ない情報を提供し、ユーザが老人であれば文字サイズの大きい情報を提供するなどの、各ユーザにとって適切と考えられる方法によって情報提供を行うシステム等が開発されている（例えば、特許文献１参照）。
【特許文献１】特開２００２−２５９０１２号公報（第１頁、第１図等）
【発明の開示】
【発明が解決しようとする課題】
【０００３】
一方、近年の情報化社会の進展に伴って、大量の情報がユーザに提供されるようになってきている。そのような状況において、ユーザにとっては、提供された情報から所望の情報を選択することが課題となっている。大量の情報に所望の情報が埋もれてしまった場合には、提供された情報を有効に活用することができないからである。
【０００４】
本発明は、上記問題点を解決するためになされたものであり、ユーザが所望の情報に迅速・的確にアクセスすることができ、各ユーザにとって使い勝手のよい情報を提供することができる情報処理装置等を提供することを目的とする。
【課題を解決するための手段】
【０００５】
上記目的を達成するため、本発明による情報処理装置は、ユーザを識別するユーザ識別子を受信する受信部と、２以上のコンテンツを記憶しているコンテンツ記憶部と、前記コンテンツ記憶部が記憶しているコンテンツの一覧を表示する画面におけるコンテンツに関する並びについての設定の情報である画面設定情報を、前記ユーザ識別子に対応付けて記憶している画面設定情報記憶部と、前記受信部が受信したユーザ識別子に対応する前記画面設定情報を前記画面設定情報記憶部から取得する情報取得部と、前記情報取得部が取得した画面設定情報、及び前記コンテンツ記憶部が記憶しているコンテンツに基づいて、コンテンツの一覧の画面を構成するための情報である画面構成情報を作成する画面構成情報作成部と、前記画面構成情報作成部が作成した画面構成情報を送信する送信部と、を備えたものである。
【０００６】
このような構成により、ユーザごとに、ユーザにとって使い勝手のよいコンテンツの一覧を表示し得る画面構成情報を送信することができる。その結果、ユーザの利便性を高めることができる。また、適切に画面設定情報を設定することにより、ユーザが迅速・的確に所望のコンテンツにアクセスすることができる。
【０００７】
また、本発明による情報処理装置では、前記画面設定情報におけるコンテンツに関する並びについての設定が、コンテンツに関する時期に基づいた並びについての設定を含んでもよい。
【０００８】
このような構成により、例えば、最新に登録されたコンテンツが最上段に表示されるようにすることができ、最新のコンテンツにアクセスしたいユーザに対する利便性を向上させることができ得る。
【０００９】
また、本発明による情報処理装置では、前記画面構成情報におけるコンテンツに関する並びについての設定が、特定のキーワードを含むコンテンツに関する並びについての設定を含んでもよい。
【００１０】
このような構成により、例えば、特定のキーワードを含むコンテンツが最上段に表示されるようにすることができる。その結果、その特定のキーワードを含むコンテンツを毎日ウォッチングしたいユーザは、各コンテンツにその特定のキーワードが含まれるかどうかに関する煩雑なチェックを行わなくてよくなる。
【００１１】
また、本発明による情報処理装置では、前記画面構成情報に基づいて構成された画面において利用されたコンテンツの利用状況に関する情報である利用情報を、前記ユーザ識別子に対応付けて記憶している利用情報記憶部と、ユーザによるコンテンツの利用に応じて、前記利用情報を更新する利用情報更新部と、をさらに備え、前記画面設定情報におけるコンテンツに関する並びについての設定が、前記利用情報に基づいた並びについての設定をも含んでおり、前記情報取得部が、前記受信部が受信したユーザ識別子に対応する前記画面設定情報を前記画面設定情報記憶部から取得し、前記受信部が受信したユーザ識別子に対応する前記利用情報を前記利用情報記憶部から取得し、前記画面構成情報作成部が、前記情報取得部が取得した画面設定情報及び利用情報に基づいて、前記画面構成情報を作成してもよい。
【００１２】
このような構成により、各ユーザの利用情報に基づいて、コンテンツの一覧の並びを決定することができ、例えば、頻繁に利用するコンテンツが最上段に表示されるようにすることができ、頻繁に利用するコンテンツに容易にアクセスすることができるようにすることができる。
【００１３】
また、本発明による情報処理装置では、前記画面構成情報が、前記コンテンツ記憶部が記憶しているコンテンツのうち、前記コンテンツの一覧を表示する画面において、他のコンテンツと一緒に表示しないコンテンツに対する前記利用情報に関する条件を示す情報である非表示情報を含んでもよい。
【００１４】
このような構成により、例えば、利用頻度の低いコンテンツを、あらかじめコンテンツの一覧において、他のコンテンツと一緒に表示しないようにすることができる。その結果、ユーザが自らコンテンツの要否を一つひとつ判断する場合に比べて、ユーザの労力を軽減することができ得る。
【００１５】
また、本発明による情報処理装置では、前記画面構成情報が、前記コンテンツ記憶部が記憶しているコンテンツのうち、前記コンテンツの一覧を表示する画面において、他のコンテンツと一緒に表示しないコンテンツに対する前記コンテンツに関する時期についての条件を示す情報である非表示情報を含んでもよい。
【００１６】
このような構成により、例えば、新しくなければ有用でないコンテンツについて非表示情報の設定を行っておくことで、登録されてから所定の期間の経過したコンテンツを、他のコンテンツと一緒に表示しないようにすることができ、ユーザがコンテンツの一覧を見る前に、あらかじめコンテンツの選択を行うことができ、ユーザが自ら行うコンテンツの選択に関する労力を軽減することができ得る。
【００１７】
また、本発明による情報処理装置では、前記画面構成情報が、前記コンテンツ記憶部が記憶しているコンテンツのうち、前記コンテンツの一覧を表示する画面において、一度に表示できないコンテンツの量に関する条件を示す情報である非表示情報を含んでもよい。
【００１８】
このような構成により、所定の量を超えたコンテンツをコンテンツの一覧に表示しないようにすることができ、コンテンツの一覧の表示において、例えば、あまりにも多くのコンテンツが表示されるような事態を避けることができ得る。その結果、ユーザによるコンテンツの選択を容易なものとすることができ、さらに、ユーザが携帯端末等により、回線の細いネットワークを介して画面構成情報を受信する場合においても、その画面構成情報の容量が多大なものとなることを防止することもでき得る。
【００１９】
また、本発明による情報処理装置では、前記画面構成情報作成部が、前記非表示情報に基づいて所定の期間後に他のコンテンツと一緒に表示されなくなるコンテンツについて、当該コンテンツが表示されなくなる旨を表示するための画面構成情報を作成してもよい。
【００２０】
このような構成により、ユーザに対して、所定の期間後に他のコンテンツと一緒に表示されなくなるコンテンツがどのコンテンツであるのかを示すことができる。その結果、ユーザがそのコンテンツへのアクセスを行いたかったような場合には、そのコンテンツが表示されなくなる旨の表示を契機として、そのコンテンツにアクセスすることができ、突然、所望のコンテンツが他のコンテンツと一緒に表示されなくなる事態を避けることができ得る。
【００２１】
また、本発明による情報処理装置では、前記コンテンツの一覧を表示する画面において表示されるコンテンツの一覧が、前記コンテンツ記憶部が記憶しているコンテンツの見出しの一覧であってもよい。
【００２２】
このような構成により、コンテンツの見出しの一覧を表示することにより、コンテンツ自体を表示した場合に比べて、一度により多くのコンテンツの一覧を表示することができ、ユーザがより容易にコンテンツを選択することができ得る。
【００２３】
また、本発明による情報処理装置では、前記画面設定情報が、複数の表示領域と、前記各表示領域に表示するコンテンツの一覧との対応を示す情報である領域情報を含んでおり、前記画面構成情報作成部が、前記領域情報に基づいて、前記表示領域ごとにコンテンツの一覧を表示する画面を構成するための情報である画面構成情報を作成してもよい。
【００２４】
このような構成により、複数の領域に分けてコンテンツの一覧を表示することができる。その結果、例えば、コンテンツの種類ごとの表示領域を設定した場合には、ユーザは、どのコンテンツがどの領域に表示されているのかを容易に知ることができ、ユーザにとってより使い勝手のよいコンテンツの一覧を表示することができるようになる。
【００２５】
また、本発明による情報処理装置では、前記画面設定情報が、コンテンツの一覧を表示する前記表示領域ごとに、当該表示領域におけるコンテンツの一覧を表示するかどうかに関する条件を示す情報である表示・非表示情報を含むものであり、前記画面構成情報作成部が、前記各表示領域について、前記表示・非表示情報に基づいて、コンテンツの一覧を表示する条件を充たしていると判断した場合には、当該表示領域におけるコンテンツの一覧を表示する画面構成情報を作成し、コンテンツの一覧を表示する条件を充たしていないと判断した場合には、当該表示領域におけるコンテンツの一覧を表示しない画面構成情報を作成してもよい。
【００２６】
このような構成により、表示・非表示情報を用いて、表示領域ごとにコンテンツの一覧を表示するかどうかに関する条件の設定を行うことができる。したがって、ユーザが適切にその条件の設定を行うことによって、ユーザにとって不要な表示領域のコンテンツの一覧を表示しないようにすることができ得る。
【００２７】
また、本発明による情報処理装置では、前記表示・非表示情報が、前記各表示領域について、期間ごとの表示、あるいは非表示を示す情報であってもよい。
このような構成により、期間ごとに、各表示領域のコンテンツの一覧を表示するかどうかについての設定を行うことができる。例えば、朝の時間帯には天気予報を見たいが、夕方には天気予報が必要ない場合には、朝の時間帯には、所定の表示領域に、天気予報のコンテンツの一覧を表示するように設定しておき、夕方の時間帯には、その表示領域における天気予報のコンテンツの一覧を表示しないように設定しておくことで、ユーザにとって必要なコンテンツのみを表示するようにすることができ得る。
【００２８】
また、本発明による情報処理装置では、前記表示・非表示情報が、前記各表示領域について、前記画面構成情報の送信先の種類ごとの表示、あるいは非表示を示す情報であってもよい。
【００２９】
このような構成により、画面構成情報の送信先の種類ごとに、各表示領域のコンテンツの一覧を表示するかどうかについての設定を行うことができる。例えば、自宅からは天気予報を見たいが、職場からは天気予報を見る必要のない場合には、自宅からアクセスしている場合には、所定の表示領域に、天気予報のコンテンツの一覧を表示するように設定しておき、職場からアクセスしている場合には、その表示領域における天気予報のコンテンツの一覧を表示しないように設定しておくことで、ユーザにとって必要なコンテンツのみを表示するようにすることができ得る。
【００３０】
また、本発明による情報処理装置では、前記画面設定情報が、各表示領域を表示する位置に関する情報をも含んでおり、前記画面構成情報作成部は、前記位置に関する情報の示す位置に各表示領域におけるコンテンツの一覧を表示するための画面構成情報を作成してもよい。
【００３１】
このような構成により、ユーザが所望の位置に各表示領域におけるコンテンツの一覧を表示するように設定することができる。したがって、よりユーザにとって使い勝手のよいコンテンツの一覧を表示することができ得る。
【００３２】
また、本発明による情報処理装置では、前記受信部が、前記画面設定情報の更新を指示する情報である更新指示情報をも受信するものであり、前記更新指示情報に基づいて、前記画面設定情報記憶部が記憶している画面設定情報を更新する設定更新部をさらに備えてもよい。
【００３３】
このような構成により、更新指示情報を情報処理装置に送信することによって、画面設定情報を更新することができ、例えば、ユーザ自らが更新指示情報を送信することによって、自分の好みに応じた画面設定情報に更新することができる。
【発明の効果】
【００３４】
本発明による情報処理装置等によれば、ユーザが所望のコンテンツに迅速・的確にアクセスすることができ、各ユーザにとって使い勝手のよいコンテンツの一覧を表示することができ、ユーザの利便性が向上する。
【発明を実施するための最良の形態】
【００３５】
本発明の一実施の形態による情報処理装置について、図面を参照しながら説明する。
図１は、本実施の形態による情報処理装置を含む情報処理システムの構成を示す図である。図１において、本実施の形態による情報処理システムは、情報処理装置１と、１以上の端末装置２とを備える。情報処理装置１と、１以上の端末装置２とは、有線または無線
の通信回線３を介して接続されている。この通信回線３は、例えば、インターネットや、イントラネットなどである。
【００３６】
図２は、本実施の形態による情報処理装置１の構成を示すブロック図である。図２において、情報処理装置１は、受信部１１と、認証部１２と、画面設定情報記憶部１３と、設定更新部１４と、利用情報記憶部１５と、利用情報更新部１６と、情報取得部１７と、コンテンツ記憶部１８と、画面構成情報作成部１９と、送信部２０とを備える。
【００３７】
受信部１１は、ユーザ識別子や、そのユーザ識別子に対応付けられたパスワード、更新指示情報、所定の画面にジャンプする旨の指示等を受信する。ここで、ユーザ識別子とは、ユーザを識別する情報である。また、更新指示情報とは、画面設定情報記憶部１３が記憶している画面設定情報の更新を指示する情報である。また、所定の画面にジャンプする旨の指示とは、例えば、端末装置２において、情報処理装置１から送信された画面構成情報に基づいて所定のＷＥＢページが表示されており、そのＷＥＢページに表示されているリンク先へのジャンプボタンがクリックされた場合に、端末装置２から情報処理装置１に送信される、ジャンプ先のＷＥＢページにジャンプする旨の指示等のことである。なお、受信部１１は、受信を行うための受信デバイス（例えば、モデムやネットワークカードなど）を含んでもよく、あるいは含まなくてもよい（この場合には、受信部１１と通信回線３との間に図示しない受信デバイスが存在することとなる）。また、受信部１１は、ハードウェアによって実現されてもよく、あるいは受信デバイスを駆動するドライバ等のソフトウェアによって実現されてもよい。
【００３８】
認証部１２は、受信部１１が受信したユーザ識別子とパスワードとに基づいて、そのユーザ識別子に対応するユーザがログインを行うことができるかどうかの認証を行う。この認証は、認証部１２が保持している認証情報に基づいて行われる。ここで、認証情報とは、ユーザがログインを行うことができる権限を有するかどうかについての認証処理において用いられる情報であり、例えば、ユーザ識別子と、そのユーザ識別子に対応付けられたパスワードから構成される。
【００３９】
画面設定情報記憶部１３は、画面設定情報をユーザ識別子に対応付けて記憶している。ここで、画面設定情報とは、コンテンツ記憶部１８が記憶しているコンテンツの一覧を表示する画面におけるコンテンツに関する並びについての設定の情報である。ここで、コンテンツの一覧とは、１以上のコンテンツについての一覧である。また、コンテンツに関する並びとは、コンテンツ自体の並びであってもよく、あるいは、コンテンツの見出しや、コンテンツと所定の関係を有する情報の並びであってもよい。このコンテンツに関する並びについての設定は、例えば、利用情報（後述する）に基づいた並びについての設定や、コンテンツに関する時期に基づいた並びについての設定等を含んでいる。また、画面設定情報は、例えば、領域情報や、表示・非表示情報、非表示情報、あるいは、各表示領域を表示する位置に関する情報等を含んでいる。ここで、領域情報とは、複数の表示領域と、その各表示領域に表示するコンテンツの一覧との対応を示す情報である。また、表示・非表示情報とは、コンテンツの一覧を表示する表示領域ごとに、その表示領域におけるコンテンツの一覧を表示するかどうかに関する表示条件を示す情報である。また、非表示情報とは、コンテンツ記憶部１８が記憶しているコンテンツのうち、コンテンツの一覧を表示する画面において他のコンテンツと一緒に表示しないコンテンツに対する、利用情報に関する条件やコンテンツに関する時期についての条件を示す情報である。なお、「他のコンテンツと一緒に表示しない」とは、表示画面においてまったく表示しないことであってもよく、あるいは、所定の表示領域において、他のコンテンツと一緒に表示しない（例えば、天気を表示する表示領域において、東京の天気のコンテンツを、大阪や名古屋等の他の天気のコンテンツと一緒に表示しないことなど）ことであってもよい。領域情報や、表示・非表示情報、非表示情報等の具体例については、後述する。画面設定情報記憶部１３は
、所定の記録媒体（例えば、半導体メモリや磁気ディスク、光ディスクなど）によって実現され得る。
設定更新部１４は、受信部１１が受信した更新指示情報に基づいて、画面設定情報記憶部１３が記憶している画面設定情報を更新する。
【００４０】
利用情報記憶部１５は、利用情報をユーザ識別子に対応付けて記憶している。ここで、利用情報とは、画面構成情報に基づいて構成された画面において利用されたコンテンツの利用状況に関する情報である。なお、コンテンツが利用されるとは、例えば、コンテンツの一覧で表示されている所定のコンテンツが選択され、そのコンテンツに関するより詳細な情報が情報処理装置１から端末装置２に送信されて表示されることや、コンテンツの一覧において、所定のコンテンツが端末装置２のハードディスク等に蓄積されること、あるいは、コンテンツに対応付けられて設けられている所定のボタン（例えば、「見ました」ボタンや、「役に立ちました」ボタンなど）がクリックされたことなどである。ここで、所定のコンテンツが蓄積される場合などにおいては、その蓄積されたコンテンツを示す情報と、蓄積された旨を示す情報等が情報処理装置１に送信されるものとする。本実施の形態では、コンテンツが利用されるとは、コンテンツの見出しの一覧からユーザがアクセスしたい所定のコンテンツにジャンプする旨の指示を情報処理装置１に送信することであるとする。利用情報記憶部１５は、所定の記録媒体（例えば、半導体メモリや磁気ディスク、光ディスクなど）によって実現され得る。
【００４１】
利用情報更新部１６は、ユーザによるコンテンツの利用に応じて、利用情報記憶部１５が記憶している利用情報を更新する。「ユーザによるコンテンツの利用に応じて」とは、受信部１１で受信された所定のコンテンツへのアクセスの指示に応じてであってもよく、受信部１１で受信された、ユーザが過去にどのコンテンツに対して何回、いつアクセスしたのかなどに関する情報であるユーザの利用履歴情報に応じてであってもよく、あるいは、受信部１１で受信された、端末装置２において蓄積されたコンテンツを示す情報等に応じてであってもよい。利用情報更新部１６は、例えば、端末装置２から所定のコンテンツの画面にジャンプする旨の指示を受信部１１が受信した場合に、そのジャンプ先のコンテンツに対応する利用回数を１だけインクリメントし、最新利用日をその時点の年月日に更新するなどの処理を行う。
【００４２】
情報取得部１７は、受信部１１が受信し、認証部１２によって正当な権限を有すると認証されたユーザ識別子に対応する画面設定情報を画面設定情報記憶部１３から取得し、そのユーザ識別子に対応する利用情報を利用情報記憶部１５から取得する。そして、その取得した画面設定情報、及び利用情報を画面構成情報作成部１９に渡す。
【００４３】
コンテンツ記憶部１８は、２以上のコンテンツを記憶している。コンテンツ記憶部１８が記憶しているコンテンツは、例えば、動画や静止画などであってもよく、音声であってもよく、あるいは、その他のテキスト等のデータであってもよく、具体的には、ニュースや、天気予報、ショッピング等に関するデータである。コンテンツ記憶部１８は、所定の記録媒体（例えば、半導体メモリや磁気ディスク、光ディスクなど）によって実現され得る。
【００４４】
なお、画面設定情報記憶部１３と、利用情報記憶部１５と、コンテンツ記憶部１８との任意の２以上の記憶部は、同一の記録媒体によって実現されてもよい。その場合には、画面設定情報を記憶している領域が画面設定情報記憶部１３となり、利用情報を記憶している領域が利用情報記憶部１５となり、コンテンツを記憶している領域がコンテンツ記憶部１８となる。
【００４５】
画面構成情報作成部１９は、情報取得部１７が取得した画面設定情報及び利用情報、並
びにコンテンツ記憶部１８が記憶しているコンテンツに基づいて、画面構成情報を作成する。ここで、画面構成情報とは、画面を構成するための情報であり、例えば、コンテンツの一覧の画面を構成する情報や、所定のコンテンツについての画面を構成する情報、あるいは、画面設定情報の設定を行うための画面を構成する情報等である。画面構成情報作成部１９がコンテンツの一覧の画面を構成する画面構成情報を作成する場合には、例えば、情報取得部１７が取得した画面設定情報に含まれる領域情報に基づいて、表示領域ごとにコンテンツの一覧を表示する画面構成情報を作成してもよく、画面設定情報に含まれる表示・非表示情報（例えば、各表示領域について、画面構成情報の送信先の種類ごとの表示、あるいは非表示を示す情報等）に基づいて、各表示領域について、コンテンツの一覧を表示する条件を充たしていると判断した場合には、その表示領域におけるコンテンツの一覧を表示する画面構成情報を作成し、コンテンツの一覧を表示する条件を充たしていないと判断した場合には、その表示領域におけるコンテンツの一覧を表示しない画面構成情報を作成してもよい。また、画面設定情報に含まれる各表示領域の位置に関する情報の示す位置にコンテンツの一覧を表示するための画面構成情報を作成してもよい。
【００４６】
この画面構成情報は、例えば、ＨＴＭＬやＸＭＬ等のマークアップ言語によって構成されていてもよく、あるいは、４ＧＬ等のプログラム言語によって構成されていてもよい。この画面構成情報作成部１９が作成する画面構成情報によって、コンテンツの一覧の画面が構成される場合に、そのコンテンツの一覧は、コンテンツ自体の一覧であってもよく、コンテンツの見出し（例えば、コンテンツの種類や分類であってもよく、コンテンツに含まれる情報の一部であってもよい）の一覧であってもよく、あるいは、コンテンツに対応付けられたその他の情報（例えば、コンテンツの作者やコンテンツの提供会社の情報など）の一覧であってもよい。
【００４７】
送信部２０は、画面構成情報作成部１９が作成した画面構成情報を所定の端末装置２に送信する。送信部２０が画面構成情報を送信する端末装置２は、例えば、画面構成情報の送信を要求した端末装置２である。なお、送信部２０は、送信を行うための送信デバイス（例えば、モデムやネットワークカードなど）を含んでもよく、あるいは含まなくてもよい（この場合には、送信部２０と通信回線３との間に図示しない送信デバイスが存在することとなる）。また、送信部２０は、ハードウェアによって実現されてもよく、あるいは送信デバイスを駆動するドライバ等のソフトウェアによって実現されてもよい。
【００４８】
次に、本実施の形態による情報処理装置１の動作について、図３、及び図４のフローチャートを用いて説明する。
図３は、情報処理装置１の動作を示すフローチャートである。
【００４９】
（ステップＳ１０１）受信部１１は、ユーザ識別子と、パスワードとを受信したかどうか判断する。そして、受信した場合には、ユーザ識別子等を認証部１２に渡してステップＳ１０２に進み、そうでない場合には、受信するまでステップＳ１０１の処理を繰り返す。
【００５０】
（ステップＳ１０２）認証部１２は、受信部１１から受け取ったユーザ識別子と、パスワードとに基づいて、ユーザ認証を行う。このユーザ認証は、認証部１２が保持している認証情報に基づいてなされる。
【００５１】
（ステップＳ１０３）認証部１２が、受信部１１から受け取ったユーザ識別子、パスワードに基づいて、そのユーザ識別子で識別されるユーザがログインする正当な権限を有すると判断した場合には、認証部１２はそのユーザ識別子を情報取得部１７に渡すと共に、そのユーザ識別子を図示しない識別子メモリに格納してステップＳ１０４に進み、正当な権限を有しないと判断した場合には、ステップＳ１０１に戻る。
【００５２】
（ステップＳ１０４）情報取得部１７は、受け取ったユーザ識別子に対応する画面設定情報等を取得する。そして、その取得された画面設定情報等に基づいて、画面構成情報が作成され、端末装置２に送信される。なお、このステップＳ１０４における処理の詳細については、図４のフローチャートを用いて説明する。
【００５３】
（ステップＳ１０５）受信部１１は、所定のコンテンツ等にジャンプする旨の指示を受信したかどうか判断する。そして、その指示を受信した場合には、ステップＳ１０６に進み、そうでない場合には、ステップＳ１１０に進む。
【００５４】
（ステップＳ１０６）受信部１１は、その受信した指示が所定のコンテンツにジャンプする旨の指示であるのか、あるいは、コンテンツの一覧の画面にジャンプする旨の指示であるのかを判断する。そして、所定のコンテンツにジャンプする旨の指示である場合には、そのジャンプ先のコンテンツを示す情報を画面構成情報作成部１９と利用情報更新部１６とに渡してステップＳ１０７に進み、コンテンツの一覧の画面にジャンプする旨の指示である場合には、識別子メモリで記憶しているユーザ識別子を情報取得部１７に渡す旨の指示を認証部１２に渡す。その結果、ユーザ識別子が情報取得部１７に渡される。そして、ステップＳ１０４に戻る。
【００５５】
（ステップＳ１０７）画面構成情報作成部１９は、受信部１１から、ジャンプ先のコンテンツを示す情報を受け取ると、その情報に基づいて、所定のジャンプ先のコンテンツをコンテンツ記憶部１８から読み出し、そのコンテンツに基づいて、コンテンツを表示する画面構成情報を作成して、送信部２０に渡す。なお、コンテンツを表示する画面構成情報がコンテンツ記憶部１８であらかじめ記憶されている場合には、画面構成情報作成部１９は、その画面構成情報をコンテンツ記憶部１８から読み出し、その読み出した画面構成情報を送信部２０に渡す。
【００５６】
（ステップＳ１０８）送信部２０は、画面構成情報作成部１９から受け取った画面構成情報を所定の端末装置２に送信する。この端末装置２は、ジャンプの指示を受信部１１に送信した端末装置２である。
【００５７】
（ステップＳ１０９）利用情報更新部１６は、受信部１１から受け取ったジャンプ先のコンテンツを示す情報に基づいて、利用情報記憶部１５が記憶している利用情報を更新する。この更新によって、例えば、利用情報に含まれる利用回数や、最新利用日が更新される。そして、ステップＳ１０５に戻る。
【００５８】
（ステップＳ１１０）受信部１１は、画面設定情報における設定を更新する旨の指示を受信したかどうか判断する。そして、設定を更新する旨の指示を受信した場合には、その旨を画面構成情報作成部１９に渡してステップＳ１１１に進み、そうでない場合には、ステップＳ１１５に進む。
【００５９】
（ステップＳ１１１）画面構成情報作成部１９は、その時点でログインしているユーザのユーザ識別子に対応する画面設定情報を画面設定情報記憶部１３から読み出し、その画面設定情報に基づいて、画面設定情報の設定を行うための画面構成情報を作成し、送信部２０に渡す。ここで、画面構成情報作成部１９は、ログイン中のユーザのユーザ識別子を、図示しない経路により、認証部１２から取得するものとする。なお、ログイン中のユーザのユーザ識別子に対応する画面設定情報が画面設定情報記憶部１３で記憶されていない場合には、画面設定情報の設定を新たに行うための画面構成情報が構成されることとなる。
【００６０】
（ステップＳ１１２）送信部２０は、画面構成情報作成部１９から受け取った画面構成情報を所定の端末装置２に送信する。この端末装置２は、設定を更新する旨の指示を受信部１１に送信した端末装置２である。
【００６１】
（ステップＳ１１３）受信部１１は、更新指示情報を受信したかどうか判断する。そして、更新指示情報を受信した場合には、その更新指示情報を設定更新部１４に渡すと共に、認証部１２に識別子メモリで記憶しているユーザ識別子を情報取得部１７に渡す指示を渡してステップＳ１１４に進み、そうでない場合には、更新指示情報を受信するまで、ステップＳ１１３の処理を繰り返す。
【００６２】
（ステップＳ１１４）設定更新部１４は、受信部１１から受け取った更新指示情報に基づいて、画面設定情報記憶部１３が記憶している画面設定情報を更新する。そして、ステップＳ１０４に戻って、更新された後の画面設定情報による画面構成情報の作成等が行われる。なお、この画面設定情報の更新は、あらかじめ画面設定情報記憶部１３で記憶されている画面設定情報を変更することによって行われてもよく、あるいは、画面設定情報記憶部１３に、新たな画面設定情報を追加することによって行われてもよい。前者の具体例としては、例えば、あるユーザ識別子に対応付けられている画面設定情報の一部を変更する場合であり、後者の具体例としては、例えば、それまでに画面設定情報が登録されていないユーザ識別子に対応する画面設定情報を新規に登録する場合である。
【００６３】
（ステップＳ１１５）受信部１１は、ログアウトする旨の情報を受信したかどうか判断する。そして、ログアウトする旨の情報を受信した場合には、ステップＳ１１６に進み、そうでない場合には、ステップＳ１０５に戻る。
【００６４】
（ステップＳ１１６）受信部１１は、識別子メモリで記憶しているユーザ識別子を消去する旨の指示を認証部１２に渡す。その結果、認証部１２は、識別子メモリで記憶しているユーザ識別子を消去する。そして、ステップＳ１０１に戻る。なお、認証部１２でのユーザ識別子の消去が行われた後に、ログアウトが完了した旨の画面構成情報を画面構成情報作成部１９が作成し、送信部２０がその画面構成情報を、ログアウトを行った端末装置２に送信してもよい。
なお、図３のフローチャートにおいて、電源オフや処理終了の割り込みにより処理は終了する。
【００６５】
図４は、図３のフローチャートにおけるステップＳ１０４の処理を詳細に説明するためのフローチャートである。
（ステップＳ２０１）情報取得部１７は、認証部１２からユーザ識別子を受け取ると、そのユーザ識別子に対応する画面設定情報を画面設定情報記憶部１３から取得する。また、そのユーザ識別子に対応する利用情報を利用情報記憶部１５から取得する。そして、情報取得部１７は、取得した画面設定情報と利用情報とを画面構成情報作成部１９に渡す。
【００６６】
（ステップＳ２０２）画面構成情報作成部１９は、カウンタＩを「１」に設定する。
（ステップＳ２０３）画面構成情報作成部１９は、表示領域Ｉに対応する表示・非表示情報の表示条件が充たされているかどうか判断する。ここで、その表示・非表示情報は、情報取得部１７から受け取った画面設定情報に含まれている。そして、表示条件が充たされている場合には、ステップＳ２０４に進み、そうでない場合には、ステップＳ２０７に進む。
【００６７】
（ステップＳ２０４）画面構成情報作成部１９は、表示領域Ｉに対応するコンテンツに関する情報をコンテンツ記憶部１８から取得する。ここで、どのコンテンツが表示領域Ｉに対応しているのかについては、画面設定情報によって示される。なお、画面構成情報作
成部１９が取得するコンテンツに関する情報は、コンテンツそのものであってもよく、コンテンツの見出しであってもよく、コンテンツに対応付けられた情報（例えば、コンテンツの一部の情報など）であってもよい。本実施の形態では、コンテンツの見出しが取得される場合について説明する。
【００６８】
（ステップＳ２０５）画面構成情報作成部１９は、利用情報と、画面設定情報に含まれる非表示情報とに基づいて、ステップＳ２０４で取得したコンテンツの見出しのうち、どのコンテンツの見出しを表示しないのかについて決定する。この決定においては、非表示情報の所定の条件を充たすコンテンツの見出しを表示領域Ｉに表示しないと決定する。そして、画面構成情報作成部１９は、例えば、非表示にすると決定したコンテンツの見出しを廃棄することによって、そのコンテンツの見出しを、表示領域Ｉに表示しないようにする。この廃棄は、例えば、ステップＳ２０４で取得したコンテンツの見出しを一時的に記憶しているバッファメモリから、非表示情報によって非表示とすることが示されているコンテンツの見出しを削除することによって行われる。
【００６９】
（ステップＳ２０６）画面構成情報作成部１９は、ステップＳ２０４で取得され、ステップＳ２０５で非表示とされていないコンテンツの見出しについて、そのコンテンツの見出しの一覧を画面設定情報に基づいて、ソートする。
【００７０】
（ステップＳ２０７）画面構成情報作成部１９は、表示領域Ｉが最後の表示領域であるかどうか判断する。そして、最後の表示領域である場合には、ステップＳ２０９に進み、そうでない場合には、ステップＳ２０８に進む。
（ステップＳ２０８）画面構成情報作成部１９は、カウントＩを１だけインクリメントし、ステップＳ２０３に戻る。
【００７１】
（ステップＳ２０９）画面構成情報作成部１９は、各表示領域においてソート後のコンテンツの一覧を表示するための画面である画面構成情報を作成し、その作成した画面構成情報を送信部２０に渡す。
【００７２】
（ステップＳ２１０）送信部２０は、画面構成情報作成部１９から受け取った画面構成情報を、所定の端末装置２に送信する。ここで、画面構成情報が送信されるのは、認証部１２の識別子メモリで記憶されているユーザ識別子に対応するユーザの端末装置２である。
【００７３】
次に、本実施の形態による情報処理装置１の動作について、具体例を用いて説明する。この具体例において、図１で示すように、情報処理装置１と、１以上の端末装置２とによって、システムが構成されており、端末装置２は、ＰＣ（Ｐｅｒｓｏｎａｌ  Ｃｏｍｐｕｔｅｒ）であるとする。
【００７４】
この具体例において、画面設定情報記憶部１３が記憶している画面設定情報は、図５で示されるものであるとする。図５で示される画面設定情報は、ユーザ識別子に対応付けられている。その画面設定情報は、「領域」と、「表示位置情報」と、「表示・非表示情報」と、「コンテンツ」と、「並び」と、「非表示情報」とのフィールドを含む。
【００７５】
「領域」のフィールドによって、どの表示領域に関する画面設定情報であるのかが示される。「表示位置情報」は、各表示領域を表示する位置に関する情報であり、図５では、矩形の表示領域の対角点を示す情報である。具体的には、図６で示すように、全体の表示領域１００の左上の頂点を基点として、右向きの横軸をＸ軸とし、下向きの縦軸をＹ軸として、（Ｘ，Ｙ）で各表示領域の左上の頂点と、右下の頂点とを示す情報が表示位置情報である。図５で示されるユーザ識別子「Ｕ００１」に対応する各表示領域は、図６で示さ
れるようになる。
【００７６】
「表示・非表示情報」は、各表示領域においてコンテンツを表示するかどうかを、画面構成情報の送信先の種類を示す「自宅」、「職場」、「モバイル」に分けて示す情報である。表示・非表示情報が「１」である場合には、その表示領域に対応するコンテンツを表示することを示しており、「０」である場合には、その表示領域にコンテンツを表示しないことを示している。例えば、ユーザ識別子「Ｕ００１」に対応する表示領域１の場合、送信先が「自宅」であっても、「職場」であっても、「モバイル」であってもコンテンツを表示することとなる。ここで、「自宅」、「職場」は、画面構成情報の送信先が、ユーザの自宅や職場であることを示しており、「モバイル」は、画面構成情報の送信先が、例えば、ＰＤＡ（Ｐｅｒｓｏｎａｌ  Ｄｉｇｉｔａｌ  Ａｓｓｉｓｔａｎｔ）や、携帯電話、携帯型の小型ＰＣ等の携帯端末であることを示している。
【００７７】
「コンテンツ」は、対応する表示領域にどのコンテンツの一覧を表示するのかを示す情報であり、図５では、コンテンツの各データの名称によって示されている。例えば、「ＮＥＷＳ＊」の場合、データの名称が「ＮＥＷＳ」で始まる任意のコンテンツの一覧を表示することを示している。「並び」のフィールドによって、コンテンツの一覧をどの並びで表示するのかが示される。例えば、「並び」のフィールドの値が「利用回数・降順」である場合には、コンテンツの利用回数が多い順番にコンテンツをソートして、コンテンツの一覧を表示することを示している。
【００７８】
「非表示情報」は、各表示領域において表示するコンテンツのうち、他のコンテンツと一緒に表示しないコンテンツに対する所定の条件を示すものである。その条件は、対応する表示領域には表示しないで「ごみ箱」の領域に表示する条件を示す「ごみ箱への移動」に関する条件と、コンテンツの一覧を表示する画面全体において、完全にコンテンツを表示しない条件を示す「ごみ箱からの削除」に関する条件とによって示されている。
【００７９】
また、この具体例において、利用情報記憶部１５が記憶している利用情報は、図７で示されるものであるとする。図７で示される利用情報は、ユーザ識別子に対応付けられており、「コンテンツ」と、「最新利用日」と、「利用回数」と、「ごみ箱への移動日」とのフィールドを含む。「コンテンツ」は、各コンテンツの名称を示す情報である。「最新利用日」は、各コンテンツをユーザが利用した最新の年月日を示す情報である。「利用回数」は、各コンテンツをユーザが利用した回数の累積値を示す情報である。「ごみ箱への移動日」は、画面設定情報における「ごみ箱への移動」に関する条件を充たすようになった年月日を示す情報である。
【００８０】
また、この具体例において、コンテンツ記憶部１８では、図８で示すように、各コンテンツの名称に対応付けて、コンテンツの種類等を示す「見出し」と、コンテンツがコンテンツ記憶部１８に新たに登録された年月日（更新された年月日を含む）を示す「登録日」とを記憶しているものとする。なお、このコンテンツ記憶部１８においては、コンテンツの名称に対応するコンテンツの実体データも記憶されている。
【００８１】
まず、２００４年１月１５日に、ユーザ識別子「Ｕ００１」に対応するユーザが自宅の端末装置２を操作し、ログイン画面を表示させたとする。図９は、ログイン画面を表示している端末装置２を示す模式図である。図９で示されるように、ユーザは、ユーザ識別子「Ｕ００１」と、パスワードを入力し、ラジオボタンによって「自宅」を選択する。そして、「ログイン」ボタンをクリックすると、ユーザ識別子「Ｕ００１」等のログインに関する情報が通信回線３を介して情報処理装置１に送信される。
【００８２】
情報処理装置１の受信部１１は、送信されたログインに関する情報を受信し（ステップ
Ｓ１０１）、それらの情報を認証部１２に渡す。そして、認証部１２によってユーザ認証が行われる（ステップＳ１０２）。ユーザ認証の結果、ユーザ識別子「Ｕ００１」に対応するユーザがログインの権限を有していると判断されたとする（ステップＳ１０３）。すると、認証部１２は、ユーザ識別子「Ｕ００１」を図示しない識別子メモリに格納すると共に、そのユーザ識別子「Ｕ００１」と、ユーザが端末装置２を利用している環境、すなわち、画面構成情報の送信先の種類を示す情報である「自宅」とを情報取得部１７に渡す。
【００８３】
情報取得部１７は、受け取ったユーザ識別子「Ｕ００１」に対応する画面設定情報と、利用情報とを、それぞれ画面設定情報記憶部１３と、利用情報記憶部１５とから取得し、その取得した画面設定情報と、利用情報とを、端末装置２の環境を示す情報である「自宅」と共に画面構成情報作成部１９に渡す（ステップＳ２０１）。画面構成情報作成部１９は、その受け取った画面設定情報等に基づいて、表示領域１から順番に、コンテンツの見出しの一覧を決定する（ステップＳ２０２〜Ｓ２０８）。具体的には、まず、画面構成情報作成部１９は、図５の表示領域１について、表示・非表示情報の「自宅」のフィールドが「１」であるため、表示条件を充たしていると判断し（ステップＳ２０３）、表示領域１に表示するコンテンツの見出しとして、コンテンツの名称が「ＮＥＷＳ」から始まるコンテンツの見出しと、コンテンツの登録日とをコンテンツ記憶部１８から取得する（ステップＳ２０４）。ここで、図５で示される画面設定情報に含まれる非表示情報において、最新利用日から１０日以上経過したものは、ごみ箱へ移動するように設定されている。コンテンツ「ＮＥＷＳ００２．ＴＸＴ」の最新利用日「２００４年１月３日」は、ユーザが端末装置２を操作している「２００４年１月１５日」よりも１０日以上前であるため、画面構成情報作成部１９は、利用情報を参照し、コンテンツ「ＮＥＷＳ００２．ＴＸＴ」を表示領域１に表示しないようにする。このようにして、表示領域１に表示するコンテンツの見出しだけを選択する（ステップＳ２０５）。そして、その選択後のコンテンツの見出しに対して、「利用回数」をソートキーとして利用回数の降順となるようにソートを行う（ステップＳ２０６）。この利用回数は、利用情報によって示されるものである。そのソートの結果、コンテンツの見出しを表示する順番が決定される。すなわち、表示領域１には、上から順番に「ＮＥＷＳ００３．ＴＸＴ」に対応する見出しである「社会ニュース」、「ＮＥＳ００１．ＴＸＴ」に対応する見出しである「経済ニュース」等が表示されることとなる。
【００８４】
次に、画面構成情報作成部１９は、表示領域２〜５についても、表示領域１の場合と同様に、表示領域２〜５にそれぞれ表示するコンテンツの見出しの並びを決定する（ステップＳ２０３〜Ｓ２０８）。なお、表示領域５は、コンテンツが「ごみ箱」であり、この表示領域５に表示するコンテンツの見出しは、非表示情報に基づいて、ごみ箱に移動されたコンテンツ（すなわち、表示領域１〜４において他のコンテンツと一緒に表示されないコンテンツ）のうち、まだごみ箱から削除されていないコンテンツ（すなわち、表示画面全体において、まったく表示しないように決定されていないコンテンツ）の見出しである。
【００８５】
次に、画面構成情報作成部１９は、表示領域ごとに決定されたコンテンツの見出しの並びに基づいて、コンテンツの一覧を表示するための画面構成情報を作成する（ステップＳ２０８）。具体的には、画面設定情報に含まれる表示位置情報に基づいて、各表示領域の位置に、決定された並びでコンテンツの見出しが表示されるように画面構成情報を作成する。この画面構成情報は、ＨＴＭＬによって記述されているとする。また、この画面構成情報においては、コンテンツの見出しに対して、コンテンツのデータ自体にジャンプするためのリンクが張られているものとする。
【００８６】
送信部２０は、画面構成情報作成部１９が作成した画面構成情報を、ユーザ識別子「Ｕ００１」のユーザが使用している端末装置２に対して送信する。送信部２０は、受信部１
１が受信したログインに関する情報の送信元であるＩＰアドレスやポート番号を受信部１１から受け取ることによって、適切な端末装置２に画面構成情報を送信することができる。
【００８７】
図１０は、そのようにして送信された画面構成情報に基づいて、端末装置２において表示された表示画面の一例を示す図である。図１０で示されるように、各表示領域にコンテンツの見出しの一覧が表示されている。このようにして、ユーザ識別子「Ｕ００１」に対応するユーザは、自分で設定したソートのルールに基づいて並べられたコンテンツの一覧を見ることができる。例えば、そのユーザは大阪に住んでおり、「大阪の天気」を頻繁に利用する場合には、「大阪の天気」が天気のコンテンツの一番上に表示されることになる。その結果、頻繁に利用するコンテンツがコンテンツの一覧の最上段に位置することとなり、所望の情報に対して迅速・的確にアクセスすることができ、ユーザの利便性が高められている。
【００８８】
図１０で示されるコンテンツの一覧の表示において、ユーザがマウスを操作して、「大阪の天気」をクリックしたとする。すると、端末装置２は、コンテンツ「大阪の天気（ＷＥＡＴＨＥＲ００２．ＨＴＭＬ）」にジャンプする旨の指示を情報処理装置１に送信する。その指示は、受信部１１で受信され（ステップＳ１０５）、コンテンツにジャンプする旨の指示であると判断される（ステップＳ１０６）。そして、ジャンプ先のコンテンツ「大阪の天気」を示す情報が画面構成情報作成部１９と、利用情報更新部１６とに渡される。なお、利用情報更新部１６に対しては、認証部１２から読み出されたユーザ識別子「Ｕ００１」も渡されるものとする。
【００８９】
画面構成情報作成部１９は、コンテンツ「大阪の天気」に対応するデータである「ＷＥＡＴＨＥＲ００２．ＨＴＭＬ」を読み出して、そのデータに「一覧」ボタン等のフレームを付加した画面構成情報を作成する（ステップＳ１０７）。そして、その画面構成情報は、送信部２０によって端末装置２に送信される（ステップＳ１０８）。その結果、端末装置２において、図１１で示される表示がなされる。
【００９０】
また、利用情報更新部１６は、ユーザ識別子「Ｕ００１」に対応したコンテンツ「ＷＥＡＴＨＥＲ００２．ＨＴＭＬ」の利用回数を１だけインクリメントする（ステップＳ１０９）。その結果、「ＷＥＡＴＨＥＲ００２．ＨＴＭＬ」の利用回数は、「１５３」となる。
【００９１】
図１１の画面において、ユーザが「設定」ボタンをクリックすると、画面設定情報における設定を更新する旨の指示が情報処理装置１に対して送信される。そして、その指示は、受信部１１で受信され、画面設定情報における設定を更新する旨の指示が受信されたと判断され（ステップＳ１１０）、その旨が画面構成情報作成部１９に渡される。画面構成情報作成部１９は、その指示に基づいて、ユーザ識別子「Ｕ００１」に対応する画面設定情報を画面設定情報記憶部１３から読み出し、その画面設定情報に基づいて、設定を行うための画面構成情報を作成する（ステップＳ１１１）。送信部２０は、その設定を行うための画面構成情報を端末装置２に送信する（ステップＳ１１２）。その結果、端末装置２において、図１２で示される表示がなされる。ユーザは、この表示において、変更したい項目についての変更を行い、変更の後に「送信」ボタンをクリックする。すると、画面設定情報を更新する旨を示す更新指示情報が情報処理装置１に送信され、受信部１１において受信される（ステップＳ１１３）。そして、設定更新部１４は、その更新指示情報に基づいた画面設定情報の更新を行う（ステップＳ１１４）。その後、更新された画面設定情報に基づいて、画面構成情報が作成され、端末装置２に送信されて（ステップＳ１０４）、端末装置２において、更新された後のコンテンツの見出しの一覧の表示がなされることとなる。ここで、各表示領域の表示位置の設定は、ＷＩＳＩＷＹＧで行うようにしてもよ
い。
【００９２】
なお、ユーザが図１０や図１１の表示画面において、「ログアウト」ボタンをクリックしたとすると、ログアウトする旨の情報が情報処理装置１に送信され、受信部１１で受信される。そして、受信部１１は、認証部１２における識別子メモリで格納されているユーザ識別子を消去する旨の指示を認証部１２に渡す。このようにして、認証部１２における識別子メモリからユーザ識別子「Ｕ００１」が消去され（ステップＳ１１６）、ユーザのログアウトがなされる。
【００９３】
図１３は、ＰＤＡによるコンテンツの一覧の表示の一例を示す図である。ユーザ識別子「Ｕ００１」に対応するユーザが、図１３で示されるＰＤＡを用いて情報処理装置１にアクセスする場合には、ログイン画面において、「モバイル」を選択することとなる。その場合には、図５の画面設定情報に基づいて、コンテンツ「ＮＥＷＳ＊」の一覧のみが表示領域１に表示されることとなる。したがって、画面構成情報を受信したＰＤＡにおいては、図１３における画面表示で示されるように、表示領域１のみのコンテンツの一覧が表示されることとなる。このように、ＰＤＡのような携帯端末においては、受信するデータの容量をあらかじめ設定した所望の範囲に限定することができ、画面構成情報の受信に長時間かかるような事態を防止することができ得る。また、ＰＤＡの表示画面に表示しきれない情報が送信される事態を避けることもでき得る。
【００９４】
なお、この具体例では、表示位置情報において、各表示領域を表示する位置が、矩形領域の対角点の座標値によって示される場合について説明したが、表示領域の形状は、楕円形や円形など、どのようなものであってもよい。また、その表示領域の表示位置についても、座標値として設定されていてもよく、あるいは、相対的な位置関係として設定されていてもよい。相対的な位置関係とは、例えば、表示画面の上から順番に、表示領域１、表示領域２、表示領域４、…を表示する、というような位置関係のことである。そのような状況において、例えば、表示・非表示情報によって、表示領域２を表示しない場合には、表示領域２の領域を空白として開けてもよく、あるいは、表示領域１のすぐ下に表示領域４を表示するようにしてもよい。
【００９５】
また、この具体例では、コンテンツの見出しの一覧を表示する画面構成情報を作成する場合について説明したが、コンテンツ自体の一部、あるいは全部の情報の一覧を表示する画面構成情報を作成してもよい。その場合には、コンテンツの一覧の画面構成情報においては、サムネールや、低解像度で各コンテンツ自体の一部、あるいは全部を表示するように情報を作成し、ユーザによって選択された情報については、その情報にジャンプして、その選択された情報のみを有する画面構成情報を作成するようにしてもよい。
【００９６】
また、この具体例では、複数の表示領域と、その各表示領域に表示するコンテンツの一覧との対応を示す情報である領域情報が、画面設定情報において、「コンテンツ」と、「領域」との対応によって示される場合について説明したが、その領域情報はどのようなものであってもよく、例えば、コンテンツを識別する情報（例えば、「ＮＥＷＳ＊」など）と、表示領域を識別する情報（例えば、「表示領域１」など）とを対応付けるテーブル等によって領域情報が構成されてもよい。
【００９７】
また、この具体例では、すべての表示領域についてコンテンツの一覧の見出しのソートを行う場合について説明したが、一部の表示領域については、そのソートを行わなくてもよい。
【００９８】
また、この具体例では、図７で示すように、利用情報が「ごみ箱への移動日」に関する情報を含む場合について説明したが、利用情報において、その「ごみ箱への移動日」に関
する情報が含まれていなくてもよい。その場合には、例えば、その「ごみ箱への移動日」を、ステップＳ２０５における処理のたびに最新利用日や登録日に基づいて算出してもよい。
【００９９】
また、ごみ箱に移動されたコンテンツについては、移動元の表示領域を示す情報を、そのコンテンツと共に表示するようにしてもよい。例えば、「国際ニュース」がごみ箱に入っている場合に、「国際ニュース（ｆｒｏｍニュース）」と表示することにより、ニュースの表示領域からごみ箱に移動されたコンテンツである旨を示すようにしてもよい。
【０１００】
また、ユーザ識別子に対応付けられた画面設定情報が記憶されていないユーザがログインを行った場合には、コンテンツの一覧の画面構成情報を作成することができないが、その場合には、「設定」ボタン、「ログアウト」ボタンのみの表示される画面構成情報を作成して送信し、そのユーザが、画面設定情報の更新（この場合は新規登録）を行うことができるようにしてもよい。
【０１０１】
また、この具体例では、送信先の種類として、「自宅」、「職場」、「モバイル」の３つの種類の場合について説明したが、この送信先の種類は他のものであってもよく、例えば、送信先の回線の太さを示す「ナローバンド」、「ブロードバンド」であってもよく、あるいは、送信先の装置における画面の大きさを示す「大画面」、「中画面」、「小画面」であってもよい。
【０１０２】
また、この具体例において、画面設定情報や、利用情報等が図５や図７で示される場合について説明したが、これらの情報の構造は、それらの具体例に限定されるものではなく、他の構造を有してもよい。
【０１０３】
以上のように、本実施の形態による情報処理装置１では、ユーザごとに設定されている画面設定情報や利用情報に基づいてコンテンツの一覧を表示する画面構成情報を作成することによって、ユーザが所望のコンテンツに容易にアクセスすることができるコンテンツの一覧を表示するための画面構成情報を送信することができ、各ユーザにとって使い勝手のよいコンテンツの一覧の表示を提供することができる。
【０１０４】
なお、本実施の形態では、コンテンツに関する並びについての設定が、利用回数や登録日、最新利用日等に基づいて行われる場合について説明したが、コンテンツに関する並びについての設定は、特定のキーワードを含むコンテンツに関する並びについての設定であってもよい。例えば、特定のキーワードとして、「大阪」が設定されている場合には、ニュースや、天気、その他のショッピングなどにおいて、コンテンツ自体、あるいはコンテンツの見出しに「大阪」を含むものを、コンテンツの一覧における最上位の位置に表示するように画面構成情報を構成してもよい。なお、特定のキーワードを含むコンテンツ等を、コンテンツの一覧における最下位の位置に表示するようにしてもよい。
【０１０５】
また、コンテンツに関する並びについての設定は、利用回数や最新利用日等の利用情報に基づいた並びについての設定のみであってもよく、あるいは、登録日等のコンテンツに関する時期に基づいた並びについての設定のみであってもよい。
また、コンテンツに関する並びについての設定は、利用回数や最新利用日からの経過日数、登録日からの経過日数等を組み合わせて決定されるものであってもよい。例えば、
（コンテンツの評価値）＝Ａ×（利用回数）＋Ｂ／（最新利用日からの経過日数）
という式を用いて各コンテンツの評価値を算出し、そのコンテンツの評価値の降順（あるいは、昇順）でソートを行うことによって、コンテンツに関する並びを決定する、という設定を行ってもよい。なお、上記式において、Ａ，Ｂは、重み付けを行うための所定の実数である。
【０１０６】
また、画面設定情報は、コンテンツに関する並びについての設定を含んでいればよく、場合によっては、領域情報や、非表示情報、表示・非表示情報等のうち、いずれか１以上の情報を含んでいなくてもよい。
【０１０７】
また、非表示情報は、コンテンツの一覧を表示する画面において、一度に表示できないコンテンツの量に関する条件を示すものであってもよい。コンテンツの量とは、例えば、コンテンツの個数やデータ容量のことである。また、一度に表示できないとは、例えば、１つの表示領域において他のコンテンツと一緒に表示できないことである。具体的には、コンテンツの一覧を表示する画面において、非表示情報によって３個のコンテンツしか表示しないと決定されていた場合には、ソート後のコンテンツの一覧から上位３個のコンテンツのみを選択し、その選択したコンテンツの一覧を表示するための画面構成情報を作成するようにしてもよい。
【０１０８】
また、画面構成情報作成部１９は、非表示情報に基づいて所定の期間後に表示されなくなるコンテンツについて、そのコンテンツが表示されなくなる旨を表示するための画面構成情報を作成してもよい。例えば、上記具体例において、コンテンツの見出し「国際ニュース」が１日後に「ごみ箱」の表示領域に移動される場合に、画面構成情報作成部１９は、その見出し「国際ニュース」を点滅させる画面構成情報を作成してもよい。この場合、端末装置２において、図１４で示されるように、コンテンツの見出し「国際ニュース」が点滅することによって、明日以降、その見出しがニュースの表示領域に表示されなくなることを示すことができる。なお、コンテンツが表示されなくなる旨のその他の表示方法としては、例えば、所定のコンテンツの見出しを他の表示よりも薄く表示させる方法や、所定のコンテンツの見出しを他の表示と異なる色で表示させる方法などがある。
【０１０９】
また、表示・非表示情報は、各表示領域について、期間ごとの表示、あるいは非表示を示す情報であってもよい。ここで、期間とは、１日における時間帯や、１週間における期間や、１か月における期間、１年における期間などである。例えば、図１５で示されるように、各表示領域を時間帯ごとに、表示するのか（「１」が設定されている）、表示しないのか（「０」が設定されている）を示してもよい。例えば、ユーザ識別子「Ｕ００１」に対応する表示・非表示情報では、表示領域１は、午前６時から午後５時まで表示されるように設定されており、表示領域３は、午前１０時から午前６時まで表示されるように設定されている。そして、画面構成情報作成部１９は、画面構成情報を作成する時点における時刻を所定の時計（図示せず）から取得し、その時刻が属する時間帯が表示領域を表示するように設定されている場合には、その表示領域におけるコンテンツの一覧を表示するように画面構成情報を作成し、そうでない場合には、その表示領域に何も表示しないように画面構成情報を作成する。なお、上記以外の具体例としては、１週間のうち、月曜から金曜までは所定の表示領域におけるコンテンツの一覧を表示し、土曜日と日曜日には、そのコンテンツの一覧を表示しない（あるいは、その逆）ようにしてもよい。また、表示・非表示情報では、期間ごとの情報と、画面構成情報の送信先の種類ごとの情報とを組み合わせてもよい。
また、表示・非表示情報において、期間ごと、あるいは、画面構成情報の送信先の種類ごとに、各表示領域の大きさや表示位置等を決定できるようにしてもよい。
【０１１０】
また、本実施の形態では、利用情報と画面設定情報とコンテンツとに基づいて画面構成情報を作成する場合について説明したが、画面構成情報作成部１９は、利用情報を用いないで画面構成情報を作成してもよい。すなわち、利用情報記憶部１５が情報処理装置１に含まれなくてもよい。その場合には、コンテンツの一覧におけるコンテンツに関する並びについての設定は、登録日等に基づいて設定されることとなる。
【０１１１】
また、本実施の形態における具体例では、他のコンテンツと一緒に表示しないコンテンツに対する利用情報に関する条件（例えば、「最新利用日から１０日」など）と、他のコンテンツと一緒に表示しないコンテンツに関する時期についての条件（例えば、「登録日から３０日」など）とを非表示情報が含む場合について説明したが、非表示情報は、そのいずれか一方のみを含んでもよい。
【０１１２】
また、本実施の形態では、コンテンツの一覧が表示領域ごとに表示される場合について説明したが、コンテンツの一覧は、表示領域ごとではなく、表示画面の全体で一覧表示されてもよい。
【０１１３】
また、本実施の形態の具体例では、ユーザがユーザ識別子を入力することによって情報処理装置１にユーザ識別子が送信される場合について説明したが、ユーザ識別子は、ユーザが入力することなく、情報処理装置１に送信されてもよい。例えば、クッキー（Ｃｏｏｋｉｅ）を用いてもよく、ＩＰアドレス、機器ＩＤ等をユーザ識別子として用いてもよい。画面構成情報の送信先の種類を示す情報についても、同様に、クッキーや、ＩＰアドレス等を用いることによって、あらかじめ情報処理装置１において登録しておき、その登録された情報と、クッキー等の情報を用いることにより、ユーザが入力や選択を行うことなく、情報処理装置１が送信先の種類について知ることができるようにしてもよい。このように、クッキー等を用いてユーザ識別子を受信する場合には、例えば、各ユーザが、端末装置２から同一のＷＥＢサイトにアクセスしたときに、各ユーザのクッキー等を用いて、各ユーザに対応するコンテンツの一覧の画面構成情報（ＨＴＭＬで記述されている）を構成し、その情報を各ユーザの端末装置２に送信してもよい。
【０１１４】
また、本実施の形態では、認証部１２によってユーザ認証を行う場合について説明したが、ユーザ認証を行わず、受信されたユーザ識別子に応じた画面設定情報等に基づいて、画面構成情報を作成するようにしてもよい。
【０１１５】
また、本実施の形態では、画面設定情報がコンテンツに関する並びについての設定の情報を含む場合について説明したが、画面設定情報がそのコンテンツに関する並びについての設定の情報を含んでおらず、コンテンツの一覧を表示する画面における、複数の表示領域と、その各表示領域に表示するコンテンツの一覧との対応を示す情報である領域情報、及び、表示領域ごとに、その表示領域におけるコンテンツの一覧を表示するかどうかに関する条件を示す情報である表示・非表示情報を含んでおり、画面構成情報作成部１９が、その画面設定情報とコンテンツとに基づいて、表示領域ごとにコンテンツの一覧を表示する画面を構成するための画面構成情報を作成してもよい。すなわち、情報処理装置１は、期間や画面構成情報の送信先の種類等に基づいて、各表示領域におけるコンテンツの一覧を表示したり、表示しなかったりする画面構成情報を送信してもよい。
【０１１６】
また、上記実施の形態において、各処理（各機能）は、単一の装置（システム）によって集中処理されることによって実現されてもよく、あるいは、複数の装置によって分散処理されることによって実現されてもよい。
【０１１７】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記実施の形態における情報処理装置を実現するソフトウェアは、以下のようなプログラムである。つまり、このプログラムは、コンピュータに、ユーザを識別するユーザ識別子を受信する受信ステップと、２以上のコンテンツの一覧を表示する画面におけるコンテンツに関する並びについての設定
の情報である画面設定情報を、前記ユーザ識別子に対応付けて記憶している画面設定情報記憶部から、前記受信ステップで受信したユーザ識別子に対応する前記画面設定情報を取得する情報取得ステップと、前記情報取得ステップで取得した画面設定情報、及び前記コンテンツに基づいて、コンテンツの一覧の画面を構成するための情報である画面構成情報を作成する画面構成情報作成ステップと、前記画面構成情報作成ステップで作成した画面構成情報を送信する送信ステップと、を実行させるためのものである。
【０１１８】
また、他のプログラムは、コンピュータに、ユーザを識別するユーザ識別子を受信する受信ステップと、２以上のコンテンツの一覧を表示する画面における、複数の表示領域と、前記各表示領域に表示するコンテンツの一覧との対応を示す情報である領域情報、及び、前記表示領域ごとに、当該表示領域におけるコンテンツの一覧を表示するかどうかに関する条件を示す情報である表示・非表示情報を含む情報である画面設定情報を、前記ユーザ識別子に対応付けて記憶している画面設定情報記憶部から、前記受信ステップで受信したユーザ識別子に対応する前記画面設定情報を取得する情報取得ステップと、前記情報取得ステップで取得した画面設定情報、及び前記コンテンツに基づいて、前記表示領域ごとにコンテンツの一覧を表示する画面を構成するための情報である画面構成情報を作成する画面構成情報作成ステップと、前記画面構成情報作成ステップで作成した画面構成情報を送信する送信ステップと、を実行させるためのものである。
【０１１９】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０１２０】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。
また、このプログラムを実行するコンピュータは、単数であってもよく、複数であってもよい。すなわち、集中処理を行ってもよく、あるいは分散処理を行ってもよい。
【産業上の利用可能性】
【０１２１】
以上のように、本発明による情報処理装置等によれば、ユーザにとって使い勝手のよいコンテンツの一覧を表示するための画面構成情報を作成し、ユーザの端末に送信することができ、例えば、ＨＴＭＬによって記述された情報を送信するＷＥＢサーバ等として有用である。
【図面の簡単な説明】
【０１２２】
【図１】本発明の一実施の形態による情報処理システムの構成を示す図
【図２】同実施の形態による情報処理装置の構成を示すブロック図
【図３】同実施の形態による情報処理装置の動作を示すフローチャート
【図４】同実施の形態による情報処理装置の動作を示すフローチャート
【図５】同実施の形態における画面設定情報の一例を示す図
【図６】同実施の形態における各表示領域の一例を示す図
【図７】同実施の形態における利用情報の一例を示す図
【図８】同実施の形態におけるコンテンツと見出し登録日との関係の一例を示す図
【図９】同実施の形態による端末装置を示す模式図
【図１０】同実施の形態における表示の一例を示す図
【図１１】同実施の形態における表示の一例を示す図
【図１２】同実施の形態における表示の一例を示す図
【図１３】同実施の形態における端末装置の一例を示す図
【図１４】同実施の形態における表示の一例を示す図
【図１５】同実施の形態における画面設定情報の一例を示す図
【符号の説明】
【０１２３】
１  情報処理装置
２  端末装置
３  通信回線
１１  受信部
１２  認証部
１３  画面設定情報記憶部
１４  設定更新部
１５  利用情報記憶部
１６  利用情報更新部
１７  情報取得部
１８  コンテンツ記憶部
１９  画面構成情報作成部
２０  送信部
【図１】
2005284514.tif 000003
【図２】
2005284514.tif 000004
【図３】
2005284514.tif 000005
【図４】
2005284514.tif 000006
【図５】
2005284514.tif 000007
【図６】
2005284514.tif 000008
【図７】
2005284514.tif 000009
【図８】
2005284514.tif 000010
【図９】
2005284514.tif 000011
【図１０】
2005284514.tif 000012
【図１１】
2005284514.tif 000013
【図１２】
2005284514.tif 000014
【図１３】
2005284514.tif 000015
【図１４】
2005284514.tif 000016
【図１５】
2005284514.tif 000017